(57)【要約】【課題】ダストボックスユニットが外れ難く、エアーもれの無い電気掃除機を提供する。【解決手段】掃除機本体１に設けたダストボックス収納部５に着脱自在に装着されると共に塵埃を捕集するダストボックスユニット４と、掃除機本体１の前部に摺動自在に設けられダストボックスユニット４の前部を係止する尾錠２１と、ダストボックスユニット４内に移動自在に設けられた連結軸６８とを備え、ダストボックスユニット４をダストボックス収納部５に収納したときに、尾錠２１の摺動動作に連動して連結軸６８の端部がダストボックスユニット４の後部より突出し、掃除機本体１に設けた凹部３８に係合するようにしたもので、ダストボックスユニット４の前部は尾錠２１で、後部は、連結軸６８の後端と凹部３８との係止でそれぞれ確実に固定されるので、ダストボックスユニット４が外れ難く、エアー漏れや、異常音の発生を防止する事ができる。【選択図】図１５
2006061543.tif 000002
【特許請求の範囲】
【請求項１】
ダストボックス収納部を有する掃除機本体と、前記ダストボックス収納部に着脱自在に装着されると共に塵埃を捕集するダストボックスユニットと、前記掃除機本体の前部に摺動自在に設けられ前記ダストボックスユニットの前部を係止する尾錠と、前記ダストボックスユニット内に移動自在に設けられた連結軸とを備え、前記ダストボックスユニットを前記ダストボックス収納部に収納したときに、前記尾錠の摺動動作に連動して前記連結軸が移動し、その端部が前記ダストボックスユニットの後部より突出し、前記掃除機本体に設けた凹部に係合するようにした電気掃除機。
【請求項２】
尾錠を後方に付勢する尾錠バネと、連結軸を前方に付勢するバネ体を設け、前記尾錠バネの付勢力を前記バネ体のそれより大きく設定した請求項１に記載の電気掃除機。
【請求項３】
連結軸の、本体長手方向と平行な部分を受けるガイドリブを設け、前記ガイドリブと前記連結軸との間にガタを設けた請求項１又は２に記載の電気掃除機。
【請求項４】
ダストボックスユニットに持ち運び用のボックスハンドルを昇降自在に設け、連結軸又は前記連結軸と共に移動する部材の一部に、持ち上げられた前記ボックスハンドルが下がらないようにするための係止部を設けた請求項１〜３のいずれか１項に記載の電気掃除機。
【請求項５】
ボックスハンドルに上方から外力を加えると、係止部による前記ボックスハンドルの係止が外れるようにした請求項４に記載の電気掃除機。
【請求項６】
ダストボックスユニットをダストボックス収納部に収納した状態では、尾錠を解除する方向に移動させないとボックスハンドルが持ち上げられないようにした請求項１〜５のいずれか１項に記載の電気掃除機。
【請求項７】
連結軸を金属製の棒材で形成した請求項１〜６のいずれか１項に記載の電気掃除機。
【発明の詳細な説明】
【技術分野】
【０００１】
本発明は、着脱自在のダストボックスを有する電気掃除機に関するものである。
【背景技術】
【０００２】
従来のこの種の電気掃除機として、掃除機本体の前部に配されたダストボックス収納部と、塵埃を捕集すると共にダストボックス収納部に着脱自在に装着されるダストボックスを備え、ダストボックスの上部に持ち運び用のハンドルが設けられ、そのハンドルの後部に、ダストボックスをダストボックス収納部に固定する尾錠を設けたものがある（例えば、特許文献１参照）。
【特許文献１】特開２００３−５２５８９号公報
【発明の開示】
【発明が解決しようとする課題】
【０００３】
しかし、上記従来の電気掃除機の構成では、ダストボックスのダストボックス収納部への固定が、ハンドルの後部に設けた尾錠のみで行なっているので、ハンドルを持ち上げた時に、尾錠の部分にこじるような力が加わるため、ハンドルを急に持ち上げた時に尾錠が外れたり、破損するなどの課題があった。また、ダストボックスの後部のみ固定されているので、前部で空気漏れが発生するなどの課題もあった。
【０００４】
本発明は、上記従来の課題を解決するもので、ダストボックスをダストボックス収納部に確実に固定すると共に、空気漏れの無い電気掃除機を提供する事を目的とする。
【課題を解決するための手段】
【０００５】
前記従来の課題を解決するために、本発明の電気掃除機は、ダストボックス収納部を有する掃除機本体と、前記ダストボックス収納部に着脱自在に装着されると共に塵埃を捕集するダストボックスユニットと、前記掃除機本体の前部に摺動自在に設けられ前記ダストボックスユニットの前部を係止する尾錠と、前記ダストボックスユニット内に移動自在に設けられた連結軸とを備え、前記ダストボックスユニットを前記ダストボックス収納部に収納したときに、前記尾錠の摺動動作に連動して前記連結軸が移動し、その端部が前記ダストボックスユニットの後部より突出し、前記掃除機本体に設けた凹部に係合するようにしたもので、ダストボックスユニットをダストボック収納部に収納した時に、ダストボックスユニットの前部は尾錠で、後部は、連結軸の後端と凹部との係止で確実に固定されるので、ダストボックスユニット或いはそれにハンドルが設けられている場合はそのハンドルを不用意に持ち上げても、ダストボックスユニットがダストボックス収納部から外れて掃除機本体が床面に落ちて、床や家具に傷をつけたりすることが無い。また、ダストボックスユニットがダストボック収納部に確実に固定されているのでエアー漏れや、異常音の発生を防止する事ができる。
【発明の効果】
【０００６】
本発明の電気掃除機は、ダストボックスユニットのハンドルを不用意に持ち上げても、ダストボックスユニットがダストボックス収納部から外れて掃除機本体が床面に落ちて、床や家具に傷をつけたりすることが無く、また、ダストボックスユニットがダストボック収納部に確実に固定されているのでエアー漏れや、異常音の発生を防止する事ができる。
【発明を実施するための最良の形態】
【０００７】
第１の発明は、ダストボックス収納部を有する掃除機本体と、前記ダストボックス収納部に着脱自在に装着されると共に塵埃を捕集するダストボックスユニットと、前記掃除機本体の前部に摺動自在に設けられ前記ダストボックスユニットの前部を係止する尾錠と、前記ダストボックスユニット内に移動自在に設けられた連結軸とを備え、前記ダストボックスユニットを前記ダストボックス収納部に収納したときに、前記尾錠の摺動動作に連動して前記連結軸が移動し、その端部が前記ダストボックスユニットの後部より突出し、前記掃除機本体に設けた凹部に係合するようにしたもので、ダストボックスユニットをダストボック収納部に収納した時に、ダストボックスユニットの前部は尾錠で、後部は、連結軸の後端と凹部との係止で確実に固定されるので、ダストボックスユニット或いはそれにハンドルが設けられている場合はそのハンドルを不用意に持ち上げても、ダストボックスユニットがダストボックス収納部から外れて掃除機本体が床面に落ちて、床や家具に傷をつけたりすることが無い。また、ダストボックスユニットがダストボック収納部に確実に固定されているのでエアー漏れや、異常音の発生を防止する事ができる。
【０００８】
第２の発明は、特に、第１の発明の尾錠を後方に付勢する尾錠バネと、連結軸を前方に付勢するバネ体を設け、前記尾錠バネの付勢力を前記バネ体のそれより大きく設定したもので、尾錠がダストボックスユニットの前部に確実に係止されると共に、ダストボックスユニットをダストボック収納部から取り外す際に尾錠を解除方向に移動させると、バネ体の付勢力で、連結軸の端部が内方に確実に移動するので、その端部が、凹部に引っ掛かったままになることが無く、ダストボックスユニットの取り出しをスムーズに行なうことができる。
【０００９】
第３の発明は、特に、第１又は第２の発明の連結軸の、本体長手方向と平行な部分を受けるガイドリブを設け、前記ガイドリブと前記連結軸との間にガタを設けたもので、連結軸の寸法上のばらつきがあっても、それがガタの部分で吸収されるので、連結軸の移動がスムーズに行なわれ、動作の信頼性を高める事ができる。
【００１０】
第４の発明は、特に、第１〜３のいずれか１つの発明のダストボックスユニットに持ち運び用のボックスハンドルを昇降自在に設け、連結軸又は前記連結軸と共に移動する部材の一部に、持ち上げられた前記ボックスハンドルが下がらないようにするための係止部を設けたもので、都度ボックスハンドルの下に指を差しこんでそれを起こす必要が無いので、使用性、持ち運び性が向上する。
【００１１】
第５発明は、特に、第４の発明のボックスハンドルに上方から外力を加えると、係止部による前記ボックスハンドルの係止が外れるようにしたもので、ダストボックスユニットやボックスハンドルに予期せぬ外力が加わった時に、係止が外れボックスハンドルが収納されるので、ボックスハンドルの破損を防止する事ができる。
【００１２】
第６の発明は、特に、第１〜５のいずれか１つの発明のダストボックスユニットをダストボックス収納部に収納した状態では、尾錠を解除する方向に移動させないとボックスハンドルが持ち上げられないようにしたもので、掃除機本体を持ち運ぶ際に、誤ってダストボックスユニットのボックスハンドルを持ち上げて、掃除機本体の重さでボックスハンドルが破損したり、それにより掃除機本体が落下することがない。
【００１３】
第７の発明は、特に、第１〜６のいずれか１つの発明の連結軸を金属製の棒材で形成したもので、ダストボックスユニットの後部と本体との固定が確実に行なわれ、信頼性が高まると共に、汎用の棒材が使用できるので、安価に形成する事ができる。
【００１４】
以下、本発明の実施の形態について、図面を参照しながら説明する。なお、この実施の形態によって本発明が限定されるものではない。
【００１５】
（実施の形態１）
本発明の第１の実施の形態における電気掃除機について、図１〜１９を用いて説明する。
【００１６】
図１は、本実施の形態における電気掃除機の全体斜視図、図２は、同電気掃除機の上面図、図３は、同電気掃除機の断面図である。
【００１７】
図において、１は掃除機本体で、後部に電動送風機２を内蔵した電動送風機室３が配され、前部に、着脱自在で塵埃を分離捕集するダストボックスユニット４を収納するダストボックス収納部５が配され、後方下部の両側に１対の走行用の車輪６が回転自在に取着され、底面前部には、同じく走行用のキャスター７が取着されている。掃除機本体１の前部には、ホース８の一端に設けた接続パイプ９が着脱自在に接続される吸入口１０が設けられている。
【００１８】
ホース８の他端には、掃除の際に握る把手を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動するモータ１５を内蔵した吸い込み具１６に着脱自在に接続される。
【００１９】
１７は、掃除機本体１の側面に設けられた開口部で、ダストボックス収納部５に装着されたダストボックスユニット４の透明材料で形成された外郭側面が外から見えるようになっている。
【００２０】
１８は、弾性材料から形成され掃除機本体１の前部から両側にかけて延設されたバンパーで、掃除機本体１の走行時に家具、柱などに衝突してもそれらに傷をつけないようにするためのもので、また、掃除機本体１に設けた開口部１７と対向する部分が図に示されるように、くりぬかれている。
【００２１】
１９は、掃除機本体１を持ち運ぶ際に立てて使用する本体ハンドルで、掃除機本体１の重心を通る垂直線上に回動中心が位置するように掃除機本体１の上部に回動自在に取り付けられている。
【００２２】
２０は、ダストボックスユニット４の持ち運び用のボックスハンドルで、後端がダストボックスユニット４に回動自在に軸支され、その前端は、通常図１に示すようにダストボックスユニット４に収納されているが、ダストボックスユニット４を持ち運ぶ時や、掃除機本体１のダストボックス収納部５から取り外す時に、前部を持ち上げると、前端が上方に飛び出し、ボックスハンドル２０が握れるようになる。
【００２３】
２１は、ダストボックスユニット４を掃除機本体１のダストボック収納部５に収納した時にダストボックスユニット４の前端を保持する尾錠で、図１４、図１５に示すように尾錠バネ２１ａで後方側に付勢されている。
【００２４】
図３において、掃除機本体１の外郭は、その下部を形成すると共に後方にコードリール２２を収納するコードリール収納部２３を形成した下ボディ１ａと、後部に電動送風機室３を形成した上ボディ１ｂからなり、電動送風機室３の底部は下ボディ１ａで覆われる。２４は、下ボディ１ａに形成されたコードリール収納部２３を覆うコードリール蓋で、そのコードリール蓋２４及び下ボディ１ａの夫々に設けた軸支部２５でコードリール２２が回動自在に軸支されている。
【００２５】
コードリール２２は、電源コード３２を巻き付けると共に上下にフランジ部２２ａを有するドラム部２２ｂと、前記ドラム部２２ｂを電源コード３２を巻き付ける方向に付勢するバネ材２２ｃから構成されている。
【００２６】
２６は巻き戻し釦で、コードリール２２に内蔵されたバネ材２２ｃの付勢力に抗して外部に引き出された電源コード３２を、コードリール２２内に巻き戻す際に操作して巻き戻すもので、その巻き戻し釦２６を下方に押すことにより、ブレーキローラー（図示せず）によるコードリール２２の回動阻止が解除され、コードリール２２がバネ材２２ｃの付勢力で電源コード３２を巻き上げるようになっている。
【００２７】
電動送風機２の前部は、弾性材料からなるサポート前２７で、後部は、同じく弾性材料からなるサポート後２８で、電動送風機室３内に支持されている。２９は、電動送風機室３とダストボックス収納部５とを仕切る隔壁で、略中央に電動送風機２の吸入開口２ａと連通する格子状の隔壁開口部３０が設けられ、その隔壁開口部３０は、ダストボックス収納部５側から三次フィルター３１で覆われている。
【００２８】
図４は、掃除機本体１からダストボックスユニット４を取り外した時の斜視図であり、吸入口１０の後方にパッキン３７が設けられ、隔壁２９の上部の幅方向に、後述の連結軸６８の後端を引っ掛けるための１対の凹部３８（図４では、一方のみ図示）が設けられ、ダストボックス収納部５の後方下部には、電源コード３２の引き出し操作に連動して回転して後述の除塵板５７を弾く弾きローラー３３が設けられている。３９は、弾きローラー３３の周囲を覆うカバーで、弾きローラー３３に髪の毛等が巻きついたときに、カバー３９を外せば、容易に取り除くことができる。
【００２９】
図５は、電源コード３２の引き出し操作から弾きローラー３３までの回転力の伝達構成を示すもので、コードリール１１の一方のフランジ２２ａの外周面に歯２２ｄが円環状に配され、弾きローラー３３を固定したシャフトＡ３４の端部にギヤーＡ３５が設けれ、歯２２ｄとギヤーＡ３５間に複数のギヤー群３６が介在され、電源コード３２の引き出し動作に応じてコードリール１１のフランジ２２ａが回転すると、その回転力が、歯２２ｄ、ギヤー群３６、ギヤーＡ３５、シャフトＡ３４の順に伝達され、弾きローラー３３が回転するようになっている。
【００３０】
弾きローラー３３は、弾き片３３ａと、それを挟み込むように形成されたフランジ３３ｂで形成されている。
【００３１】
次に、ダストボックスユニット４の構成について図６〜１２を用いて説明する。
【００３２】
図において、ダストボックスユニット４は、ダストボックス本体４０と、ダストボックス本体４０の後方開口部に着脱自在に装着されるフィルターユニット４１から構成されている。
【００３３】
最初に、吸い込み具１６から空気と共に吸引された塵埃の捕集構成について述べる。ダストボックス本体４０の前部に、ダストボックスユニット４を掃除機本体１のダストボックス収納部５に装着した時に、掃除機本体１の吸入口１０の後方に設けたパッキン３７に気密に圧接し連通する吸入口Ａ４２と、尾錠２１が係合する尾錠凹部５２が設けられている。
【００３４】
ダストボックス本体４０は、さらに、吸入口Ａ４２に直接連通すると共に粗塵を収納する粗塵室４３と、連通口Ａ４４を介して粗塵室４３と連通すると共に吸引風に含まれた細塵を遠心分離する遠心分離室４５と、遠心分離室４５の周壁の一部に設けた連通口Ｂ４６から落下する細塵を捕集する細塵室４７と、前記粗塵室４３と細塵室４７の夫々の開口部４３ｂ、４７ｂを覆うと共に後方端部がダストボックス本体４０に回動自在に軸支された蓋体４８を備えている。蓋体４８は、コイルバネ４９により開成方向に付勢されており、通常は、ダストボックス本体４０に設けた係止片５０で、その前部が閉じた状態に保持されており、ボックスハンドル２０の前部に設けた解除釦５１を押すと、それに連結された連結機構（図示せず）を介して係止片５０が外方に移動し、蓋体４８がコイルバネ４９の付勢力で開くようになっている。
【００３５】
図６（ｃ）に示すように、遠心分離室４５の前部断面形状は、天面が平坦なＤカット状に形成されている。これは、掃除機本体１の外郭の一部を成すダストボックスユニット４の前部の表面を低く見せ、デザイン状のバリエーションを広げるためである。さらに連通口Ｂ４６の細塵室４７側には、筒状のリブ４５ｃが延設され、細塵室４７に流入した細塵が遠心分離室４５に逆流させないためのものである。。
【００３６】
また、ダストボックス本体４０の粗塵室４３と細塵室４７を形成している外郭部分は、半透明材料で形成され、外部から堆積した塵埃の量がわかるようになっている。
【００３７】
ダストボックス本体４０の後側には、ダストボックスユニット４や、その構成部品に付着した塵埃を清掃する為のクリーニングブラシ５３を収納するブラシ収納部４０ａが設けられている。
【００３８】
フィルターユニット４１は、枠体５４と、プリーツ折りされそのプリーツ目を縦方向にして枠体５４に設けられた二次フィルター５５と、枠体５４の内側に橋渡し状に形成され、二次フィルター５５をその折り目方向に直交する方向で保持するリブ体５６と、鋼鈑など弾性に富んだ金属材からなり、下部がそれ自身の弾性力で枠体５４側に押しつけられるように上部が枠体５４の上部に取り付けられた除塵板５７とを備えている。フィルターユニット４１の枠体５４の下流側端部には全周に渡ってリップ５８が、一体又は一体的に形成され、ダストボックスユニット４を、ダストボックス収納部５に装着した時に、そのリップ５８が、掃除機本体１の隔壁２９のダストボックス収納部５側の面に圧接され、電動送風機２の運転時に外気が吸引されないようになっている。
【００３９】
フィルターユニット４１の前面５９は、二次フィルター５５の上流側を覆うと共に、フィルターユニット４１をダストボックス本体４０に装着した時に、粗塵室４３、遠心分離室４５、細塵室４７の夫々の後方開口部４３ａ、４５ａ、４７ａを気密に覆うようになっている。さらにフィルターユニット４１の前面５９の、前記後方開口部４３ａ、４５ａ、４７ａの夫々に対応する位置に、開口Ａ６０、開口Ｂ６１、開口Ｃ６２が設けられ、かつ、各開口Ａ６０、開口Ｂ６１、開口Ｃ６２には一次フィルター６０ａ、６１ａ、６２ａが設けられて、フィルターユニット４１内に粗塵や、細塵が浸入するのを防止している。
【００４０】
除塵板５７の下端には、突片５７ａが延設され、図１１、図１２の要部断面図に示すように、ダストボックスユニット４をダストボックス収納部５に装着した時に、掃除機本体１に設けた弾きローラー３３に近接するように配されており、この状態で電源コード３２を引き出すと、その引き出し動作に連動して弾きローラー３３が回転し、山状に形成された弾き片３３ａが、除塵板５７の弾性力に抗して除塵板５７の突片５７ａを後方に移動させ、その突片５７ａが弾き片３３ａを乗り越えると（図１２参照）、除塵板５７の弾性力で元の左方向に一気に戻ろうとする。この時、除塵板５７の一部がリブ体５６の先端に当たってリブ体５６に強い衝撃が加わり、これにより二次フィルター５５に強い振動が加わり、二次フィルター５５に付着していた細塵が振り落とされ、二次フィルター５５の濾過性能が復活する。
【００４１】
上記構成による動作、作用は以下の通りである。
【００４２】
電気掃除機の使用開始に当たり、掃除機本体１より電源コード３２を引き出すと、その引き出し動作に連動して、コードリール２２のフランジ２２ａが回転し、その回転力が、ギヤー群３６、ギヤーＡ３５と伝達され、弾きローラー３３が回転する。弾きローラー３３が回転すると、その弾き片３３ａが除塵板５７に設けた突片５７ａを弾き、フィルターユニット４１のリブ体５６に強い衝撃が加わり、前回までの掃除の際に二次フィルター５５に付着した細塵がふるい落とされ、二次フィルター５５の濾過能力が回復する。
【００４３】
次に、電源コード３２を図示しない壁のコンセントにさし込んで、電気掃除機の運転を開始すると、電動送風機２による吸引力が、開口Ａ６０、開口Ｂ６１、開口Ｃ６２、一次フィルター６０ａ、６１ａ、６２ａを経て、粗塵室４３、遠心分離室４５、細塵室４７に及び、ホース８、延長管１３を経て吸い込み具１６に至る。そして、吸い込み具１６から吸引された塵埃を含んだ空気が、掃除機本体１の吸入口１０を通って、ダストボックス本体４０の吸入口Ａ４２から真っ直ぐ粗塵室４３に入り、一次フィルター６０ａに当たりそこで捕集され、堆積していく。
【００４４】
電動送風機２による吸引力は、遠心分離室４５にも作用しているので、粗塵室４３で、粗塵が除去された空気の一部は、吸入口Ａ４２側に位置する連通口Ａ４４を通って、遠心分離室４５に流入する。ここで、空気は、一次フィルター６１ａの表面に沿ってかつその接線方向から遠心分離室４５に流入するので、塵埃の遠心分離が効果的に行なわれると共に、一次フィルター６１ａに塵埃が付着し難くなり、塵埃による目詰まりが起き難いので、一次フィルター６１ａでの空気圧損の低下を抑制する事ができる。
【００４５】
遠心分離室４５で遠心分離された細塵は、遠心分離室４５の周壁の一部に設けた連通口Ｂ４６から細塵室４７に落下する。
【００４６】
上記構成によれば、粗塵が粗塵室４３で予め捕集されるので、遠心分離室４５での塵埃の遠心分離のための負担が軽減され、しかもそこで分離された細塵が細塵室４７で捕集されるので、遠心分離室４５に細塵が残るのが抑制され、高い遠心分離性能を長期にわたって維持することができる。
【００４７】
また、細塵室４７における吸気圧損を、遠心分離室４５及び粗塵室４３における吸気圧損より大きくなるように設定しておけば、遠心分離室４５に細塵が残るのが抑制され、高い遠心分離性能を長期にわたって維持できる。
【００４８】
さらに、遠心分離室４５の吸気風量を、少なくとも１．３立方ｍ／分以上になるように一次フィルター６０ａ、６１ａ、６２ａの夫々のフィルターの目の大きさや、材料、開口Ａ、Ｂ、Ｃ６０、６１、６２の面積を設定しておけば、電動送風機２を冷却するための空気量が十分確保され、電動送風機２の寿命が長くなり、かつ電動送風機２の異常発熱、焼損を防止することができる。
【００４９】
また、図１０に示すように、一次フィルター６０ａ、６１ａ、６２ａが同一面上に設けられているので、それらを清掃するのが非常に簡単で、しかも清掃漏れもなく、非常に使用勝手が良いものである。なお、上記実施の形態では、一次フィルター６０ａ、６１ａ、６２ａが面一に設けられているが、多少の段差、具体的には６ｍｍ位までの段差が、一次フィルター６０ａ、６１ａ、６２ａ間で、或いはそれらと前面５９の表面との間にあっても、清掃がやり易いことにはかわりはない。
【００５０】
また、弾きローラー３３を回転させて除塵板５７の突片５７ａを弾き、その反発力で前記枠体５４に衝撃を与えるようにしたので、除塵板５７によって枠体５４に加わる衝撃で二次フィルター５５の上流側の面に付着した塵埃がふるい落とされ二次フィルター５５の濾過能力が復活すると共に、二次フィルター５５に除塵板５７が直接衝撃を与えないので二次フィルター５５が破損する事が無い。
【００５１】
また、電源コード３２の引き出し動作に連動して弾きローラー３３を回転させるようにしたので、弾きローラー３３を回転させるための特別な駆動源を必要とせず、除塵機構を安価に形成する事ができる。なお、電源コード３２の収納動作に連動して、あるいは、電源コード３２の引き出し動作及び収納動作の両動作に連動して弾きローラー３３を回転させるようにすれば、弾きローラー３３の回転する機会が増え、除塵効果が向上する。
【００５２】
また、弾きローラー３３を、図示しないが、別途設けたモータで回転駆動するようにすれば、除塵構成が簡素化され、しかも除塵効果を安定させることができる。
【００５３】
さらに、除塵板５７の上端を枠体５４の上端に固定しているので、掃除機本体１側の構成が簡素化され、除塵効果が安定する。
【００５４】
また、二次フィルター５５をプリーツ折りし、かつそのプリーツ目を縦方向にしたので、叩き出した塵埃を効率良く下方に落とすことができると共に、塵埃の二次フィルター５５への再付着を防止することができる。
【００５５】
また、二次フィルター５５の上流側の面を僅かに下を向くように傾斜させるようにすれば、叩き出した塵埃が効率良く下方に落とされ、二次フィルター５５に、叩き出された塵埃が再付着する事が無い。
【００５６】
また、枠体５４を樹脂で成型し、前記枠体５４に二次フィルター５５のプリーツ部を連結するリブ体５６を一体に設け、このリブ体５６を除塵板５７で弾くようにしたので、リブ体５６を介して衝撃を二次フィルター５５全域に渡って伝える事ができ、塵埃の叩き出し効果が向上する。
【００５７】
また、図８に示すように、除塵板５７を途中から左右に２分割し、夫々の突片５７ａを弾きローラー３３でタイミングをずらして弾くようにすれば、電源コード３２を引き出す時の引き出し力あるいは、弾きローラー３３を回転駆動するモータのトルクを半減できる。
【００５８】
なお、除塵板５７の途中からの分割は、２分割に限らず３分割、４分割でも構わない。
【００５９】
また、除塵板５７により枠体５４を介して二次フィルター５５に加えられる衝撃力を１５０ｇ以上にすれば、風量を初期の８０％程度まで回復できるものである。
【００６０】
また、弾きローラー３３を、除塵板５７の突片５７ａを弾く弾き片３３ａと、前記弾き片３３ａを挟むように両側に設けたフランジ３３ｂで形成し、突片５７ａが両フランジ３３ｂ間に入り込むようにしたので、弾きローラー３３に髪の毛等がひっかかりにくくなる。
【００６１】
次に、ダストボックスユニット４のダストボックス収納部５への固定構造について説明する。
【００６２】
図１３は、ダストボックス本体４０の内部構造を示す図で、ダストボックス本体４０内に、略逆コの字状で前部が支持部材６７で支持され、略水平方向で摺動自在の連結軸６８が設けられている。支持部材６７は、バネ体６９で常時前側に付勢され、図１４に示すように、連結軸６８の後方端部は、ダストボックス本体４０内に収納されている。
【００６３】
一方、バネ体６９による付勢力に抗して支持部材６７を後方に移動させると、図１５に示すように、連結軸６８の後方端部がダストボックス本体４０に設けた開口部７０から突出すると共に、掃除機本体１の隔壁２９に設けた凹部３８に浸入するようになっている。
【００６４】
支持部材６７の先端部６７ａは、図７、図１４に示すように、ダストボックス本体４０の前部に設けた尾錠凹部５２に臨んで設けられている。なお、尾錠２１を後方に付勢する尾錠バネ２１ａの付勢力は、バネ体６９の付勢力より大きく設定されている。
【００６５】
７１は、連結軸６８を受けるガイドリブで、連結軸６８の内・外方へ変形を防止するためのものである。
【００６６】
上記構成により、ダストボックスユニット４を上方よりダストボックス収納部５に挿入していくと、ダストボックス本体４０に設けた尾錠凹部５２の下端が、尾錠２１の先端の傾斜部２１ｂに当接し、ダストボックスユニット４をさらに押し下げると、尾錠バネ２１ａの付勢力に抗して、尾錠２１が前側に移動し、尾錠凹部５２が、図１５に示すような最終位置に達すると、尾錠２１の先端が、尾錠バネ２１ａの付勢力で尾錠凹部５２に浸入し、ダストボックスユニット４の前部が係止される。この時、同時に、尾錠２１の先端が支持部材の６７の先端部６７ａに当接し、さらにバネ体６９の付勢力に抗して支持部材６７を後方に押し、連結軸６８の後方端部が、開口部７０より飛び出し、掃除機本体１の隔壁２９に設けた凹部３８に係合し、ダストボックスユニット４の前後がコードボックス収納部５に確実に固定される。
【００６７】
ダストボックスユニット４をコードボックス収納部５から取り外す時は、尾錠２１を前側に指で尾錠バネ２１ａの付勢力に抗して移動させると、尾錠２１の先端が尾錠凹部５２から外れると共に、連結軸６８が、バネ体６９の付勢力により、前方に移動して、連結軸６８の先端部が凹部３８から抜けるので、後はボックスハンドル２０を握って、ダストボックスユニット４を上方に持ち上げるだけで良い。
【００６８】
次に、ダストボックスユニット４のボックスハンドル２０の回動構成及び蓋体４８の開成操作について、図１６〜図１８を用いて説明する。
【００６９】
図１６（ａ）は、ボックスハンドル２０がダストボックス本体４０に収納された状態、図１６（ｂ）は、同ボックスハンドル２０を起こした状態をそれぞれ示している。
【００７０】
支持部材６７の一部に係止部６７ｂが形成され、一方ボックスハンドル２０の側面には、ボックスハンドル２０を上方に引き上げた時に、前記係止部６７ｂによって係止される被係止部２０ａが設けられている。
【００７１】
図１６（ａ）のボックスハンドル２０がダストボックス本体４０に収納された状態から、ボックスハンドル２０を持ち上げて行くと、被係止部２０ａを設けたリブ２０ｂが、バネ体６９の付勢力に抗して支持部材６７を後退させ、それがリブ２０ｂを乗り越えると、係止部６７ｂが被係止部２０ａに係止され、ボックスハンドル２０が立ちあがった状態に維持され、ダストボックス収納部５から取り外したダストボックスユニット４を自由に持ち運ぶ事ができる。なお、係止部６７ｂと被係止部２０ａとの係り代や形状を調整して、ボックスハンドル２０に強い力が加わった時に両者間の係止が解除されるようにしておけば、ボックスハンドル２０に外力が加わった時に、両者間の係止が解除され、ボックスハンドル２０が破損するのを防止することができる。
【００７２】
図１７は、ボックスハンドル２０に設けた解除釦５１と蓋体４８との連結構成を示す図である。
【００７３】
同図において、ボックスハンドル２０に設けた解除釦５１は、バネ材７５により上方に付勢されると共に、略中央部を支点に傾動自在に設けられた連結部材Ａ７６の一端に接離するように配され、前記連結部材Ａ７６の他端には連結部材Ｂ７７、連結部材Ｃ７８、連結部材Ｄ７９が順に連結されている。
【００７４】
図１８（ａ）は、ボックスハンドル２０がダストボックス本体４０に収納された状態を示している。図１８（ｂ）に示すように、ボックスハンドル２０を起こすと、連結部材Ａ７６、連結部材Ｂ７７、連結部材Ｃ７８、連結部材Ｄ７９が順に連結される。ここで、ボックスハンドル２０に設けた解除釦５１を押すと、図１８（ｃ）に示すように連結部材Ａ７６の連結部材Ｂ７７側端部が上に上がり、それにより連結部材Ｂ７７、連結部材Ｃ７８、連結部材Ｄ７９が上に引き上げられ、連結部材Ｄ７９の下端に設けた傾斜面７９ａにより、回動片８０が時計方向に回動し、回動片８０の下端に形成された係止片５０が左側に移動し、蓋体４８の係止を解除し、蓋体４８が、コイルバネ４９の付勢力で開成する。
【００７５】
また、図１９に示すように、蓋体４８の上面の回動中心側には、粗塵室４３、細塵室４７の夫々に臨むと共に、粗塵室４３、細塵室４７の塵埃の堆積方向と略平行に塵埃を掻き出すための掻き出し板８２ａ、８２ｂとが一体に形成され、さらに掻き出し板８２ａ、８２ｂの先端には、塵埃を引っ掛けるための櫛歯状の引っ掛け部８２ｃ、８２ｄが鉛直方向に延設されている。また、引っ掛け部８２ｃ、８２ｄの先端側を根元側より細く形成して、引っ掛けられた塵埃の除去を容易にしている。
【００７６】
上記構成により、ダストボックスユニット４を、図示しないゴミ箱の上に持ってきて、ボックスハンドル２０の先端に設けられた解除釦５１を押すと、蓋体４８が開き、同時に図１９（ｃ）に示すように、粗塵室４３、細塵室４７内の塵埃が掻き出し板８２ａ、８２ｂの引っ掛け部８２ｃ、８２ｄに引っ掛けられると共に掻き出し板８２ａ、８２ｂにより引きずり出され、ゴミ箱内に落下する。
【００７７】
以上のように、本実施の形態によれば、粗塵室４３、細塵室４７内の塵埃を掻き出す掻き出し板８２ａ、８２ｂを設け、その掻き出し板８２ａ、８２ｂに引っ掛け部８２ｃ、８２ｄを設けたので、粗塵室４３、細塵室４７内に堆積した塵埃を、手を汚すことなく掻き出し板８２ａ、８２ｂで確実に引きずり出すことができる。
【００７８】
また、引っ掛け部８２ｃ、８２ｄを掻き出し板８２ａ、８２ｂの先端に延設したので、粗塵室４３、細塵室４７の奥まで詰まった塵埃を取り出すことができる。
【００７９】
さらに、引っ掛け部８２ｃ、８２ｄを櫛歯状に形成したので、塵埃を確実に引っ掛ける事ができ、取り残しがない。
【００８０】
また、引っ掛け部８２ｃ、８２ｄの先端側を根元側より細く形成したので、引っ掛け部８２ｃ、８２ｄに引っ掛けた塵埃を取り除くのが容易になる。
【００８１】
さらに、掻き出し板８２ａ、８２ｂを、一端をダストボックスユニット４に回動自在に取り付けた蓋体４８に一体に形成したので、蓋体４８の開閉動作と同時に、粗塵室４３、細塵室４７内の塵埃が引き出されるので、塵埃の取り出し、廃棄が容易で使用勝手が大幅に向上するものである。
【００８２】
（実施の形態２）
図２０は、本発明の第２の実施の形態における電気掃除機の要部断面図である。
【００８３】
本実施の形態は、図２０に示すように、ボックスハンドル２０の一部に被係止部２０ｃを設け、ボックスハンドル２０がダストボックス本体４０に収納された状態で、前記被係止部２０ｃに係止する係止部２１ｃを尾錠２１に設けたもので、ダストボックスユニット４が、ダストボックス収納部５に収納されている状態で、掃除機本体１を持ち運ぶ際に、本体ハンドル１９と間違えてダストボックスユニット４のボックスハンドル２０を持ち上げようとしても、被係止部２０ｃと係止部２１ｃが係止されて、ボックスハンドル２０が上に上がらず、したがってボックスハンドル２０の下に指が入らず、持ち上げる事が出来ないので、掃除機本体１の重さでボックスハンドル２０が破損したり、それにより掃除機本体１が落下することがない。
【００８４】
ボックスハンドル２０を持ち上げる時、即ちダストボックス４を掃除機本体１から外す時、尾錠２１を左方に移動させると、被係止部２０ｃと係止部２１ｃの係止が簡単に解除されるので、使用勝手が良いものである。
【産業上の利用可能性】
【００８５】
以上のように、本発明にかかる電気掃除機は、ダストボックスユニットのハンドルを不用意に持ち上げても、ダストボックスユニットがダストボックス収納部から外れて掃除機本体が床面に落ちて、床や家具に傷をつけたりすることが無く、また、ダストボックスユニットがダストボック収納部に確実に固定されているのでエアー漏れや、異常音の発生を防止する事ができるもので、ハンドル付きで着脱式のダストボックスユニットを有する各種家庭用、業務用電気掃除機に広く適用できる。
【図面の簡単な説明】
【００８６】
【図１】本発明の実施の形態１における電気掃除機の全体斜視図
【図２】同電気掃除機の上面図
【図３】同電気掃除機の断面図
【図４】同電気掃除機の掃除機本体の斜視図
【図５】同電気掃除機内部の動力伝達構成を示す図
【図６】（ａ）同電気掃除機のダストボックスユニットの側面図（ｂ）同ダストボックスユニットの平面図（ｃ）図６（ｂ）のＡ−Ａ断面図（ｄ）図６（ｂ）のＢ−Ｂ断面図
【図７】同ダストボックスユニットの正面図
【図８】同ダストボックスユニットの背面図
【図９】同ダストボックスユニットのダストボックス本体の斜視図
【図１０】同ダストボックスユニットのフィルターユニットの斜視図
【図１１】同ダストボックスユニットの要部断面図
【図１２】同ダストボックスユニットの要部断面図
【図１３】同ダストボックスユニットの内部構成を示す図
【図１４】同ダストボックスユニットの要部断面図
【図１５】同ダストボックスユニットの要部断面図
【図１６】（ａ）、（ｂ）同ダストボックスユニットのハンドルの動作を示す図
【図１７】同ダストボックスユニットの内部構成を示す斜視図
【図１８】（ａ）〜（ｃ）同ダストボックスユニットの蓋の開閉動作を示す部分断面図
【図１９】（ａ）同ダストボックスユニットの下部斜視図（ｂ）同ダストボックスユニットの部分断面図（蓋が閉じた状態）（ｃ）同ダストボックスユニットの部分断面図（蓋が開いた状態）
【図２０】本発明の実施の形態２における電気掃除機の要部断面図
【符号の説明】
【００８７】
１  掃除機本体
４  ダストボックスユニット
５  ダストボックス収納部
２１  尾錠
３８  凹部
６８  連結軸
【図１】
2006061543.tif 000003
【図２】
2006061543.tif 000004
【図３】
2006061543.tif 000005
【図４】
2006061543.tif 000006
【図５】
2006061543.tif 000007
【図６】
2006061543.tif 000008
【図７】
2006061543.tif 000009
【図８】
2006061543.tif 000010
【図９】
2006061543.tif 000011
【図１０】
2006061543.tif 000012
【図１１】
2006061543.tif 000013
【図１２】
2006061543.tif 000014
【図１３】
2006061543.tif 000015
【図１４】
2006061543.tif 000016
【図１５】
2006061543.tif 000017
【図１６】
2006061543.tif 000018
【図１７】
2006061543.tif 000019
【図１８】
2006061543.tif 000020
【図１９】
2006061543.tif 000021
【図２０】
2006061543.tif 000022